(57)【特許請求の範囲】
【請求項１】
基地局と、移動局と、前記移動局に対してトランスペアレントな中継局とを含む無線通信システムにおけるデータ伝送の方法であって、
前記移動局から送信された第１の信号を前記基地局によって受信する工程と、
前記第１の信号を復号化する工程と、
前記第１の信号を受信する場合、前記復号化の結果が正しい旨を示す応答を前記移動局に前記基地局によって送信する工程と、
前記復号化の結果が誤っている場合に、前記復号化の前記結果が誤っている旨を示す応答を前記中継局に送信する工程と、
前記移動局から送信された第１の信号を前記中継局によって受信し、記憶する工程と、
前記復号化の前記結果が誤っている旨を示す前記応答を前記中継局が前記基地局から受信する場合に前記第１の信号に基づいて生成される第２の信号を前記中継局によって送信する工程と、
前記第２の信号を前記第１の信号と前記基地局によって合成し、前記基地局が前記第２の信号を受信した後に前記合成信号を復号化する工程と、
前記合成信号の前記復号化の結果が誤っている場合、既に行われている再送の回数が、
所定の最大再送回数よりも小さいか否かを判定する工程と、
前記再送の回数が、前記所定の最大数よりも小さい場合、前記基地局により、再送の要求を前記中継局に前記基地局によって送信する工程と
を含む方法。                   
【請求項２】
請求項１記載の方法であって、
前記第２の信号は前記第１の信号と同じであるか、又は前記第２の信号は、
前記基地局と前記中継局との間のチャネル状態に基づいて適応的に選択された符号化及び変調モード、及び所定の符号化及び変調モードの何れか１つを使用して前記第１の信号内のデータを符号化し、変調することによって生成される方法。
【請求項３】
請求項１記載の方法であって、前記第２の信号は、前記移動局によって使用される時間・周波数資源、又は、これとは異なる他の時間・周波数資源を使用して送信される方法。
【請求項４】
請求項１記載の方法であって、前記第２の信号は同期再送モード又は非同期再送モードにおいて送信される方法。
【請求項５】
無線通信システムにおける基地局であって、
前記無線通信システムにおける移動局又は中継局から、前記移動局から前記基地局に送信される第１の信号又は前記中継局から送信される第２の信号を受信するよう適合された受信モジュールと、
前記第１の信号又は前記第２の信号を、前記受信モジュールが前記第１の信号又は前記第２の信号を受信する場合に復号化するよう適合された復号化モジュールと、
前記復号化モジュールによって行われる前記復号化の結果が正しいか否かを判定するよう適合された判定モジュールと、
前記移動局又は前記中継局に対する応答を送信するよう適合された応答フィードバック・モジュールとを備え、
前記応答フィードバック・モジュールは、前記受信モジュールが前記第１の信号を受信する場合、前記復号化の前記結果が正しい旨を示す応答を前記移動局に送信するよう適合され、
前記判定モジュールが、前記復号化モジュールによって行われた前記復号化の結果が誤っていると判定した場合、前記応答フィードバック・モジュールは、前記復号化の結果が誤っている旨を示す応答を前記中継局に送信するよう更に適合され、
既に行われた再送の回数が予め設定された最大再送回数よりも小さいか否かを前記第１の信号又は前記第２の信号の復号化の結果が誤っている場合に判定し、前記既に行われた再送の回数が前記予め設定された最大数よりも小さい場合、前記中継局が前記第２の信号を再送するように、前記中継局に再送要求を送信する旨を前記応答フィードバック・モジュールに命令するよう前記判定モジュールが更に適合される基地局。
【請求項６】
移動局、及び前記移動局に対してトランスペアレントな中継局を備える無線通信システムであって、更に請求項５記載の基地局を更に備え、
前記移動局は、第１の信号をアップリンクで送信するよう適合された送信モジュールを備え、
前記中継局は、前記基地局から送信される再送要求及び前記移動局から送信される前記第１の信号を受信するよう適合された中継受信モジュールと、前記第１の信号を記憶するよう適合された記憶モジュールと、前記第１の信号に基づいて生成された第２の信号を、前記受信された再送要求に応じて、前記基地局に送信するよう適合された中継送信モジュールとを備える無線通信システム。
【請求項７】
請求項６記載の無線通信システムであって、前記第２の信号は前記第１の信号と同じである無線通信システム。
【請求項８】
請求項６記載の無線通信システムであって、前記中継局は、
前記基地局と前記中継局との間のチャネル状態に基づいて適応的に選択された符号化及び変調モード、及び所定の符号化及び変調モードの何れか１つを使用して前記第１の信号におけるデータを符号化し、変調するよう適合された符号化及び変調モジュールを更に備える無線通信システム。
【請求項９】
請求項６乃至８の何れか一項に記載の無線通信システムであって、前記中継送信モジュールでは、前記第２の信号は、前記移動局によって使用される時間・周波数資源、又は、これとは異なる他の時間・周波数資源を使用して送信される無線通信システム。
【発明の詳細な説明】
【技術分野】
【０００１】
本発明は、無線通信の分野に関し、特に、無線通信システム、及び上記システムにおけるデータ伝送の方法に関する。
【背景技術】
【０００２】
無線マルチメディア・サービスの急速な進展に伴い、データ伝送能力及び伝送品質に対するユーザの要求は一層高くなってきている。しかし、ブロッキング、シャドウ等による複雑な無線環境における通信の死角が多く存在しており、これにより、高い速度及び高い品質の連続した通信サービスをユーザが得ることは難しくなっている。上記課題を解決するために、中継装置を無線システムにおいて通信する二者間で、無線通信信号を上記二者間で転送してシステム・スループット及びユーザ・データ速度を向上させるために使用し得る。
【０００３】
上記中継装置は、中継局の存在を移動局が知っているか否かに応じて、２つのタイプ（すなわち、トランスペアレント中継装置及び非トランスペアレント中継装置）に分類することができる。図１は、トランスペアレント中継装置を使用することによるアップリンク・データ伝送の例を示す。図１に示すように、データ伝送の最初の時間中は、移動局（ＭＳ）１３０はアップリンク・データを送信する。中継局（ＲＳ）１２０はデータを受信し、記憶する。データを再送信する必要があると基地局（ＢＳ）１１０が判定すると、中継局１２０も移動局１３０も同時にデータを基地局に再送信し、基地局１１０は、受信データをマージし、復号化する。図２は、上記手順の詳細な送信及び受信タイミングを示す。図２に示すように、移動局はデータを中継局及び基地局に送信し、中継局は受信データを保存する。次いで、中継局及び移動局は何れも、基地局から復号化応答信号ＡＣＫ又はＮＡＣＫを受信し、ここで、ＡＣＫは、基地局が正しく復号化していることを示し、ＮＡＣＫは、基地局が誤って復号化していることを示す。受信された復号化応答信号がＡＣＫである場合、移動局は次の時点において、新たなデータを送信し得、受信された復号化応答信号がＮＡＣＫである場合、移動局及び中継局は、特定の時間及び周波数資源を使用することにより、次の時点においてデータを基地局に同時に再送信し、基地局は二者からの受信データをマージする。
【０００４】
上記アップリンク・データ再送信方法では、データを再送信する必要がある場合、中継局及び移動局はデータを基地局に再送信する。中継局から基地局へのチャネル状態は、一般に、移動局から基地局へのチャネル状態よりも良好であるので、中継局は、移動局よりもデータ再送信及び復号化に、より大きく貢献する。
【０００５】
更に、中継局及び移動局は、データ再送信中に同じ符号化及び変調方式を使用しなければならない。しかし、中継局から基地局へのチャネル状態は、一般に、移動局から基地局へのチャネル状態よりも良好であるので、同じ符号化及び変調方式は、資源の一定の浪費をもたらす。
【０００６】
既存の技術の上記説明は、本開示の明確かつ完全な説明を容易にするものに過ぎず、よって、上記開示は当業者によってよりよく理解される。更に、上記解決策は、本開示の背景部分に説明されているという理由だけで当業者によって知られているものとみなすべきでない。
【発明の概要】
【発明が解決しようとする課題】
【０００７】
本発明は、従来のアップリンク・データ伝送手法における１つ又は複数の課題をそれによって解決し得る無線通信システム及びデータ伝送方法を提案している。
【課題を解決するための手段】
【０００８】
本発明の一局面によれば、基地局、移動局、及び移動局に対してトランスペアレントな中継局を含む無線通信システムにおけるデータ伝送の方法が提供される。上記方法は、移動局から送信された第１の信号を基地局によって受信する工程と、第１の信号を復号化する工程と、復号化の結果が誤っている場合に、復号化が誤っていることを示す応答を移動局に送信することなく、復号化の結果が誤っていることを示す応答を中継局に送信する工程とを含み得る。
【０００９】
本発明の別の局面によれば、無線通信システムにおける基地局が提供され、基地局は、無線通信システムにおける中継局又は移動局から信号を受信するよう適合された受信モジュールと、受信モジュールが第１の信号又は第２の信号を受信すると、移動局から送信された第１の信号又は中継局から送信された第２の信号を復号化するよう適合された復号化モジュールと、復号化モジュールによって行われる復号化の結果が正しいか否かを判定する判定モジュールと、移動局又は中継局に応答を送信するよう適合された応答フィードバック・モジュールとを備え、判定モジュールが、復号化モジュールによって行われた復号化の結果が誤っていると判定した場合、応答フィードバック・モジュールは、復号化の結果が誤っている旨を示す応答を移動局に送出することなく、復号化の結果が誤っている旨を示す応答を中継局に送信するよう適合される。
【００１０】
本発明の別の局面によれば、無線通信システムが提供される。無線通信システムは、上記基地局を含み、更に、移動局、及び移動局に対してトランスペアレントな中継局を含み、移動局は、第１の信号アップリンクを送信するよう適合された送信モジュールを含み、中継局は、基地局から送信された再送信要求、及び移動局から送信された第１の信号を受信するよう適合された中継受信モジュールと、第１の信号を記憶するよう適合された記憶モジュールと、第１の信号に基づいて生成された第２の信号を、受信された再送信要求に応じて基地局に送信するよう適合された中継送信モジュールとを含む。
【００１１】
本発明の実施例では、基地局は、移動局からの受信データを誤って復号化すると、ＮＡＣＫを移動局に送信することなく、復号化応答ＮＡＣＫを中継局に送信する。特に、基地局が正しく復号化したか否かにかかわらず、移動局に向けて基地局によって送出される応答は常に、復号化の結果が正しい旨を示す応答ＡＣＫであり得る一方、中継局に送出される応答は、復号化結果に基づいた実際の復号化応答ＡＣＫ又はＮＡＣＫである。このようにして、データを再送信する必要がある場合、中継局のみがデータを基地局に再送信する一方、移動局は送信電力及び時間周波数資源を節減するように無音状態を保ち得る。データを再送信する際に、中継局は、移動局が初めてデータを送信する際に移動局によって使用される符号化及び変調方式と同じ符号化及び変調方式を使用し得、あるいは、データ再送信によって占められる資源を節減するために、中継局から基地局へのチャネル状態に応じて符号化及び変調方式を適合的に調節し得、又は所定の符号化及び変調方式を使用し得る。
【００１２】
本発明の前述並びに更なる局面及び構成は、以下の説明及び図面を参照すると、よりうまく理解されるであろう。一部の特定の実施例は詳説しており、本発明の原理が適用されるやり方を説明している。本発明の範囲は、前述に限定されるものでない。本願の特許請求の範囲に記載の範囲内及び趣旨内の多くの修正、改変、及び均等物をもたらし得、本開示内に包含される。
【００１３】
更に、一実施例において説明し、かつ／又は例証した一部の構成は、同じ、又は同様なやり方で他の１つ又は複数の実施例において使用し得、その他の実施例における構成と組み合わせ得、又は、その他の実施例における特定の構成を置き換えるために使用し得る。
【００１４】
本開示における「ｃｏｍｐｒｉｓｅ／ｉｎｃｌｕｄｅ」の語は、構成、構成部分、工程、又は構成要素の存在を示すために使用され、他の構成、構成部分、工程、又は構成要素の存在を排除するものとしてみなされるものでない。
【図面の簡単な説明】
【００１５】
【図１】トランスペアレント中継を使用した従来のアップリンク・データ伝送を示す概略図である。
【図２】データ再送信中の従来のトランスペアレント中継におけるアップリンク・データ及び応答の送信及び受信タイミングを示す概略図である。
【図３】本発明の一実施例による、無線通信システムにおいてトランスペアレント中継を使用したデータ伝送を示す概略図である。
【図４】本発明の実施例による、データ再送信中にトランスペアレント中継を使用したデータ並びに応答信号の送信及び受信タイミングを示す概略図である。
【図５】本発明の実施例による基地局の例示的な構造を示すブロック図である。
【図６】本発明の実施例による、基地局によって行われるデータ処理手順の例を示すフローチャートである。
【図７】本発明の実施例による中継局の例示的な構造を示すブロック図である。
【図８】本発明の実施例による、中継局によって行われるデータ処理手順の例を示すフローチャートである。
【図９】図７に示す中継局によって供用される移動局によって行われるデータ処理手順の例を示すフローチャートである。
【図１０】本発明の一部の実施例による、復号化応答信号の変調方式を示す図である。
【発明を実施するための形態】
【００１６】
本発明の局面は、図面を参照して更に深く理解され得る。図面では、構成部分は、本発明の原理を例証するために使用しているに過ぎず、正確な縮尺率で描かれている訳でない。本発明の一部の局面を例証し、示すために、図面中の対応する構成部分は増幅し得る、すなわち、例示的な装置における他の構成部分に対して、より大きく示し得る。一図面又は一実施例に示す構成要素及び構成は、他の図面又は実施例における構成要素及び構成と組み合わせ得る。更に、図面中、同じ参照符号は、いくつかの図面における対応する構成部分を表すために使用し得、２つ以上の実施例における対応する構成部分を示すために使用し得る。
【００１７】
本発明の一部の好ましい実施例を示す図面は、本開示の一部を構成し、以下の説明とともに本発明の原理を更に例証する。
【実施例】
【００１８】
図３は、本発明の実施例による、無線通信システムにおいてトランスペアレント中継を使用したデータ伝送を示す概略図である。図３に示すように、無線通信システム３００は、基地局（ＢＳ）３１０、中継局（ＲＳ）３２０、及び移動局（ＭＳ）３３０を含む。中継局３２０は移動局３３０に対してトランスペアレントである。初めて（例えば、最初の時間スロットにおいて）データを伝送する場合、移動局３３０は、伝送する対象のデータを符号化し、変調することによって生成される第１の信号を送信する。基地局３１０は、移動局３３０からの第１の信号を受信し、復号化する。デ―タを再送信する必要があると基地局３１０が判定すると、基地局３１０は、復号化の結果が誤っている旨を示す応答ＮＡＣＫ又は再送要求を中継局３２０に送信する。すなわち、復号化の結果が誤っていることを示す応答ＮＡＣＫ又は再送要求は、移動局３３０には送出されない。
【００１９】
中継局３２０は更に、移動局３３０からの第１の信号を受信し、第１の信号を記憶する。データを再送する必要がある場合、中継局３２０はデータを基地局３１０に再送する一方で、移動局３３０は再送を行わなくてよい。
【００２０】
一例では、データを再送する必要があると基地局３１０が判定した場合、基地局３１０は、復号化の結果が正しい旨を示す応答ＡＣＫを移動局３３０に更に送出し得る。
【００２１】
一例では、基地局３１０は、後続する復号化の結果にかかわらず、移動局からのデータを受信すると、応答ＡＣＫを移動局３３０に戻し得る。
【００２２】
任意的には、復号化の結果が正しい場合、基地局３１０は、応答ＡＣＫを中継局３２０及び移動局３３０の両方に戻し得る。
【００２３】
一例では、再送要求又は応答ＮＡＣＫを基地局３１０から受信すると、中継局３２０は、記憶された第１の信号を移動局から基地局３１０に直接送出し得、すなわち、中継局３２０によって再送される信号は、移動局３３０から中継局によって受信される第１の信号であり得る。任意的には、中継局３２０は、第１の信号から再送する対象のデータを抽出し、上記データを再符号化し、再変調して、第２の信号を生成し、上記第２の信号を基地局３１０に送出し得る。ここで、第２の信号は、中継局３２０と基地局３１０との間のチャネル状態に応じて適応的に選択される符号化及び変調方式、又は中継局３２０と基地局３１０との間で予め合意される符号化及び変調方式を使用することによって符号化及び変調し得る。すなわち、再送が占める資源を節減するように、第１の信号を符号化し、変調するために使用される符号化及び変調方式と別の符号化及び変調方式を使用することにより、再送される対象のデータを符号化し、変調し得る。
【００２４】
図４は、上記手順の送信及び受信タイミングを示す。図４に示すように、移動局はアップリンク・データを（例えば、第１の時間スロットにおいて）送信する。中継局は受信データを記憶する。基地局は受信データを復号化する。データが誤りを含んでいる旨を復号化結果が示す場合、基地局は復号化応答ＮＡＣＫを中継局に送信する。復号化応答ＮＡＣＫは移動局に送信されない。任意的には、データが誤りを含んでいる旨を復号化結果が示す場合、基地局は、復号化結果が正しい旨を示す復号化応答ＡＣＫを移動局に更に送出し得る。次いで、中継局はデータを基地局に再送する一方、移動局は再送を行わない。
【００２５】
図５は、本発明の実施例による基地局の構造を示す。図６は、図５に示す基地局のデータ処理フローチャートを示す。
【００２６】
図５に示すように、基地局５１０は、受信モジュール５１２と、復号化モジュール５１４と、判定モジュール５１６と、応答フィードバック・モジュール５１８とを含む。受信モジュール５１２は、無線通信システムにおける中継局又は移動局から信号を受信するよう適合される。復号化モジュール５１４は、受信信号を復号化するよう適合される。応答フィードバック・モジュール５１８は、復号化応答ＡＣＫ又はＮＡＣＫを移動局又は中継局に戻すよう適合される。判定モジュール５１６は、復号化モジュール５１４の復号化結果が正しいか否かを判定し、判定結果に応じて応答フィードバック・モジュール５１８を制御するよう適合される。
【００２７】
復号化結果が誤っている場合、応答フィードバック・モジュール５１８は、判定モジュール５１６の制御下で、復号化の結果が誤っている旨を示す応答を送出することなく、復号化の結果が誤っている旨を示す応答ＮＡＣＫＲＳを中継局に送信する。よって、移動局が再送を行わない一方で中継局はデータを再送する。
【００２８】
任意的には、復号化結果が誤っている場合、応答フィードバック・モジュール５１８は、移動局が再送を行わないことを更に確実にするために、復号化の結果が正しい旨を示す応答ＡＣＫＭＳを移動局に送出し得る。任意的には、応答フィードバック５１８は、同じ復号化応答信号において応答ＮＡＣＫＲＳ及びＡＣＫＭＳを含み得る。任意的には、復号化応答信号を送出する前に、応答フィードバック・モジュール５１８は、以下に説明する変調方式を使用することにより、復号化応答信号を変調し得る。別の例では、応答フィードバック５１８は、応答ＮＡＣＫＲＳ及びＡＣＫＭＳを中継局及び移動局それぞれに別個の信号として送出し得、この場合、応答は、多重化されたやり方で送信し得る。多重化の方法は例えば、ＣＤＭ（符号分割多重）、ＴＤＭ（時分割多重）、又はＦＤＭ（周波数分割多重）等であり得る。当然、本明細書及び特許請求の範囲に記載の多重化方式は、網羅的でなく例示的なものに過ぎず、当業者は何れかの他の適切な多重化方式を使用し得る。
【００２９】
任意的には、応答フィードバック・モジュール５１８は、復号化の結果が正しい場合、復号化の結果が正しい旨を示す応答ＡＣＫを移動局及び／又は中継局に送信し得る。任意的には、応答フィードバック・モジュール５１８は、同じ復号化応答信号において、移動局及び中継局に戻される対象の応答ＡＣＫを含み得る。あるいは、応答フィードバック・モジュール５１８は、別個の信号として、応答ＡＣＫを移動局及び中継局に送信し得る。
【００３０】
以下では、図５に示す基地局によって行われるデータ処理手順の例は図６を参照しながら説明する。
【００３１】
図６に示すように、工程６０１では、基地局の受信モジュールは移動局からデータを受信し、基地局の復号化モジュールは受信データを復号化する。工程６０３では、基地局の判定モジュールは、復号化の結果が正しいか否かを判定し、否定の場合、処理は工程６０７に進み、さもなければ、工程６０５が行われる。工程６０５では、基地局の応答フィードバック・モジュールは、復号化の結果が正しい旨を示す応答ＡＣＫＲＳ及び応答ＡＣＫＭＳを中継局及び／又は移動局に送信し、よって、データ伝送を終了する。応答ＡＣＫＲＳ及びＡＣＫＭＳは、同じ復号化応答信号に含み得る。任意的には、応答ＡＣＫＲＳ、ＡＣＫＭＳは、中継局及び移動局それぞれに別個の信号として送出し得る。更に、方法は工程６０５を含まないことがあり得る。すなわち、復号化の結果が正しい場合、基地局は、応答を戻すことなくデータ伝送を終了し得る。
【００３２】
工程６０７では、基地局の応答フィードバック・モジュールは、復号化結果が誤っている旨を示す応答ＮＡＣＫＲＳを中継局に戻す。任意的には、基地局は、復号化の結果が正しい旨を示す応答ＡＣＫＭＳｍを移動局に送出し得る。基地局がＮＡＣＫＲＳ及びＡＣＫＭＳそれぞれを中継局及び移動局に戻す場合、前述の応答ＮＡＣＫＲＳ、ＡＣＫＭＳは同じ復号化応答信号に含まれ得る。任意的には、復号化応答信号を送信する前に、復号化応答信号を変調し得る。これは、以下に詳細に説明する。
【００３３】
別の例では、基地局から中継局及び移動局への応答ＮＡＣＫＲＳ、ＡＣＫＭＳｔは、中継局及び移動局それぞれに別個の信号として送出し得る。この場合、応答は多重化方式で送信し得る。多重化の手法は例えば、ＣＤＭ（符号分割多重）、ＴＤＭ（時分割多重）、又はＦＤＭ（周波数分割多重）等であり得る。当然、本明細書及び特許請求の範囲に記載の多重化方式は、網羅的でなく例示的なものに過ぎず、当業者は何れかの他の適切な多重化方式を使用し得る。
【００３４】
工程６０９では、基地局は、再送されたデータを中継局から受信し、データをマージし、復号化する。工程６１１では、基地局は、復号化の結果が正しいか否かを判定し、肯定の場合、処理は工程６１７に進み、さもなければ、処理は工程６１３に進む。
【００３５】
工程６１７では、基地局は、復号化の結果が正しい旨を示す応答信号ＡＣＫＲＳを中継局に送信し、よって、データ伝送を終了する。
【００３６】
工程６１３では、基地局は、再送の回数が、所定の最大再送回数に達したか否かを判定し、肯定の場合、データ伝送を終了し、さもなければ、処理は工程６１５に進む。工程６１３は任意である。あるいは、後述するように、再送回数に関する判定は中継局によって行い得る。
【００３７】
工程６１５では、基地局は、復号化の結果が誤りである旨を示す応答ＮＡＣＫＲＳ又は再送要求を中継局に送信し、次いで、処理は工程６０９に進む。
【００３８】
上記実施例では、データ再送が必要な場合、復号化の結果が誤っている旨（誤り）を示す応答又は再送要求が基地局によって送信される。２つの信号は何れも、それらの受信ノード（例えば、中継局）にデータを再送させるよう機能する。よって、２つの語は、前後関係において同義で使用される。
【００３９】
当業者が分かるように、上記実施例は、限定的なものでなく、むしろ例証的なものである。本発明の実施例による方法は、上記工程順序と別の工程順序で行い得る。例えば、基地局は、復号化の結果が誤っている旨を判定すると、再送回数が所定の値に達しているか否かを判定する前に、まず、応答ＮＡＣＫＲＳを中継局に戻し得る。別の例として、基地局は、復号化の結果が正しい場合、応答ＡＣＫＲＳを中継局に戻さないことにし得る。当業者が分かるように、本発明の原理を実現し得る限り、上記方法は別々の工程順序で行い得、又は、他の１つ若しくは複数の工程を挿入し得、あるいは、方法の１つ又は複数の工程を適宜、省略し得る。
【００４０】
図７は、本発明の実施例による中継局の構造の例を示す。
【００４１】
図７に示すように、中継局７２０は、中継受信モジュール７２２と、記憶モジュール７２４と、中継送信モジュール７２６とを含む。中継受信モジュール７２２は、移動局から送出されたデータを受信するよう適合される。記憶モジュール７２４は、移動局からの受信データを記憶するよう適合される。中継受信モジュール７２２は、基地局から戻された応答を受信するよう更に適合される。中継受信モジュール７２２は、復号化の結果が誤っている旨を示す応答、又は再送要求を基地局から受信すると、中継送信モジュール７２６は、記憶モジュール７２４に記憶されたデータを基地局に再送する。
【００４２】
記憶モジュール７２４は、復号化の結果が正しい旨を示す応答を受信モジュール７２２が基地局から受信すると、記憶されたデータを削除し得る。任意的には、受信モジュール７２２が、所定の時間内に基地局からの応答を受信しなかった場合、記憶されたデータを削除し得る。
【００４３】
一例では、中継局７２０は符号化及び変調モジュール７２８を更に含み得る。符号化及び変調モジュール７２８は、再送する対象のデータを符号化し、変調するよう適合され、符号化され、変調されたデータを中継送信モジュール７２６に送信する。中継送信モジュール７２６は、符号化及び変調モジュール７２８によって符号化され、変調されたデータを再送し得る。
【００４４】
符号化及び変調モジュール７２８は、移動局がデータを送信する場合に移動局によって使用される符号化及び変調方式と同じ符号化及び変調方式、中継局と基地局との間のチャネル状態に応じて適応的に選択される符号化及び変調方式、又は所定の符号化及び変調方式の何れか１つを使用して再送信する対象のデータを符号化し、変調し得る。
【００４５】
任意的には、中継送信モジュール７２６は、移動局がデータを基地局に送信する場合に移動局によって使用される時間・周波数資源を使用することにより、データを再送し得る。当然、中継送信モジュール７２６は、他の時間・周波数資源を使用し得る。
【００４６】
任意的には、中継送信モジュール７２６は、データ再送のために同期再送又は非同期送信を利用し得る。
【００４７】
図８は、図７に示す中継局によって行われるデータ処理手順の例を示す。図８に示すように、工程８０１では、中継局は移動局からのデータを受信し、記憶する。工程８０３では、中継局は、基地局から復号化応答を受信する。工程８０５では、中継局は、復号化応答が、符号化の結果が正しい旨を示すＡＣＫである。応答がＡＣＫである場合、処理は工程８０７に進み、さもなければ、処理は工程８０９に進む。
【００４８】
工程８０７では、中継局の記憶モジュールは、先行して記憶されたデータを削除し、データ再送を終了する。任意的には、基地局からの応答が所定の期間内に受信されない場合、中継局は、先行して記憶されたデータを削除し、データ再送を終了することにし得る。
【００４９】
工程８０９では、中継局は、再送を行った回数が最大再送回数に達したか否かを判定し、肯定の場合、中継局はデータ伝送を終え、さもなければ、処理は工程８１１に進む。
【００５０】
図６に示すように、再送回数に関する判定は基地局によって行い得る。すなわち、中継局によって行われる処理手順は工程８０９を含まないことがあり得る。
【００５１】
工程８１１では、中継局は、再送する対象のデータを処理し、次いで、データを再送する。任意的には、中継局は、記憶されたデータを移動局から基地局に直接送出し得る。あるいは、中継局は、移動局がデータを送信する場合に移動局によって使用される符号化及び変調方式と同じ符号化及び変調方式、中継局と基地局との間のチャネル状態に応じて適応的に選択される符号化及び変調方式、又は所定の符号化及び変調方式の何れか１つを使用して再送信する対象のデータを符号化し、変調し得る。
【００５２】
一例では、中継局は、移動局がデータを基地局に送信する場合に移動局によって使用される時間・周波数資源を使用することにより、データを再送し得る。当然、中継局は、他の時間・周波数資源を使用し得る。
【００５３】
任意的には、中継局は、データ再送のために同期再送又は非同期送信を利用し得る。
【００５４】
当業者には分かるように、上記データ処理手順は、上述の工程順序と異なる工程順序で行い得る。本発明の原理を実現し得る限り、上記手順は別々の工程順序で行い得、又は、他の１つ若しくは複数の工程を挿入し得、あるいは、手順の１つ又は複数の工程を適宜、省略し得る。
【００５５】
図９は、本発明の実施例による、移動局によって行われるデータ処理手順を示す。図９に示すように、工程９０１では、移動局は、中継局及び基地局にデータを送信する。工程９０３では、移動局は、基地局から復号化応答信号ＡＣＫＭＳを受信する。工程９０５では、移動局は、新たなスケジュール・コマンドが存在しているか否かを決定する。肯定の場合、処理は工程９０１に進む。
【００５６】
図１０（ａ）及び図１０（ｂ）は、基地局から移動局及び中継局に戻される応答が、別々の復号化応答信号に含まれる場合、及び応答が同じ復号化応答信号に含まれる場合それぞれにおける、復号化応答信号の例を示す。
【００５７】
図１０（ａ）に示すように、基地局は、別々の復号化応答信号における、移動局及び中継局に対する応答を含み、別々の資源を使用することにより、復号化応答信号を移動局及び中継局に送信する。２つの復号化応答信号は何れも、ＢＰＳＫ変調され、ここで、ＡＣＫは＋１としてマッピングされ得、ＮＡＣＫは−１としてマッピングされ得る。
【００５８】
図１０（ｂ）に示すように、基地局は、同じ復号化応答信号における、移動局及び中継局に対する応答を含み、同じ資源を使用することにより、復号化応答信号を移動局及び中継局に送信する。例えば、ＮＡＣＫＭＳは−１として、（ＮＡＣＫＲＳ，ＡＣＫＭＳ）は（１＋ｉ）／ｓｑｒｔ（２）として、（ＡＣＫＲＳ，ＡＣＫＭＳ）は（１−ｉ）／ｓｑｒｔ（２）としてマッピングし得る。ここでは、ｓｑｒｔ（２）は、２の平方根を表す。
【００５９】
上記マッピング方法が例証的なものに過ぎないことを当業者は認識するであろう。他のマッピング手法を適宜、使用し得る。
【００６０】
本発明の実施例による解決策は、例えば、ＴＤＤ（時分割複信）又はＦＤＤ（周波数分割複信）システムに適用し得る。
【００６１】
当業者に分かるように、本発明の実施例による方法又は装置における工程若しくは構成部分の全部又は一部は、本開示を読んだ後、自らの基本プログラミング・スキルを使用することにより、当業者によって実現することが可能な、ハードウェア、ソフトウェア、又はそれらの組み合わせの形態の、（プロセッサ、記憶媒体等を含む）何れかの計算装置において実現し得、その説明はよって割愛している。
【００６２】
したがって、上記理解に基づけば、本開示の目的は、何れかの情報処理装置上でプログラム又はプログラムの組を実行させることによって実現し得る。情報処理装置は、何れかの知られている、一般に使用されている装置であり得る。よって、本開示の目的は、方法又は装置を実現するためのプログラム・コードを含むプログラム・プロダクトによって実現し得る。すなわち、前述のプログラム・プロダクト、又は前述のプログラム・プロダクトを記憶する記憶媒体も本開示を構成する。明らかに、記憶装置は、既に知られているか、又は開発される予定の何れかの記憶媒体であり得、ここでは詳説しない。
【００６３】
本発明の実施例による方法又は装置では、工程又は構成部分は、分解後に、分解、合成、及び／又は再合成し得る。前述の分解、合成、及び再合成は、本発明の均等物とみなし得る。
【００６４】
本発明の一部の実施例は前述している。しかし、本開示の範囲は開示された詳細に制限されない一方、本発明の趣旨内の種々の変形及び均等物を包含するものとするということを当業者は認識するであろう。
（付記１）
基地局と、移動局と、前記移動局に対してトランスペアレントな中継局とを含む無線通信システムにおけるデータ伝送の方法であって、
前記移動局から送信された第１の信号を前記基地局によって受信する工程と、前記第１の信号を復号化する工程と、前記復号化の結果が誤っている場合に、前記復号化の前記結果が誤っている旨を示す応答を前記移動局に送信することなく、前記復号化の前記結果が誤っている旨を示す応答を前記中継局に送信する工程とを含む方法。
（付記２）
付記１記載の方法であって、前記復号化の前記結果が誤っている場合に、前記復号化の前記結果が正しい旨を示す応答を前記移動局に前記基地局によって送信する工程を更に含む方法。
（付記３)
付記１記載の方法であって、前記移動局から送信された前記第１の信号を受信する場合に、前記復号化の前記結果が正しい旨を示す応答を前記移動局に前記基地局によって送信する工程を更に含む方法。
（付記４）
付記１乃至３の何れか一項に記載の方法であって、
前記移動局から送信された第１の信号を前記中継局によって受信し、記憶する工程と、前記復号化の前記結果が誤っている旨を示す前記応答を前記中継局が前記基地局から受信する場合に前記第１の信号に基づいて生成される第２の信号を前記中継局によって送信する工程と、
前記第２の信号を前記第１の信号と前記基地局によって合成し、前記基地局が前記第２の信号を受信した後に前記合成信号を復号化する工程と、前記合成信号の前記復号化の結果が誤っている場合、既に行われている再送の回数が、所定の最大再送回数よりも小さいか否かを判定する工程と、前記再送の回数が、前記所定の最大数よりも小さい場合、前記基地局により、再送の要求を前記中継局に前記基地局によって送信する工程とを含む方法。
（付記５）
付記４記載の方法であって、
前記第２の信号は前記第１の信号と同じであるか、又は前記第２の信号は、
前記基地局と前記中継局との間のチャネル状態に基づいて適応的に選択された符号化及び変調モード、及び所定の符号化及び変調モードの何れか１つを使用して前記第１の信号内のデータを符号化し、変調することによって生成される方法。
（付記６）
付記４記載の方法であって、前記第２の信号は、前記第１の信号、又は他の時間及び周波数資源を送信するための時間及び周波数資源と同じ時間及び周波数資源を使用して送信される方法。
（付記７）
請求項４記載の方法であって、前記第２の信号は同期再送モード又は非同期再送モードにおいて送信される方法。
（付記８）
無線通信システムにおける基地局であって、
前記無線通信システムにおける移動局又は中継局から信号を受信するよう適合された受信モジュールと、
前記移動局から送信される第１の信号又は前記中継局から送信される第２の信号を、前記受信モジュールが前記第１の信号又は前記第２の信号を受信する場合に復号化するよう適合された復号化モジュールと、
前記復号化モジュールによって行われる前記復号化の結果が正しいか否かを判定するよう適合された判定モジュールと、
前記移動局又は前記中継局に対する応答を送信するよう適合された応答フィードバック・モジュールとを備え、
前記判定モジュールが、前記復号化モジュールによって行われた前記復号化の結果が誤っていると判定した場合、前記応答フィードバック・モジュールは、前記復号化の前記結果が誤っている旨を示す応答を前記移動局に送出することなしで、前記復号化の結果が誤っている旨を示す応答を送信するよう適合される基地局。
（付記９）
付記８記載の基地局であって、前記第１の信号の復号化の結果が誤っていると前記判定モジュールが判定する場合、前記復号化の前記結果が正しい旨を示す応答を前記移動局に送信するよう更に適合される基地局。
（付記１０）
付記８記載の基地局であって、前記受信モジュールが前記第１の信号を受信する場合、前記復号化の前記結果が正しい旨を示す応答を前記移動局に送信するよう前記応答フィードバック・モジュールが更に適合される基地局。
（付記１１）
付記８記載の基地局であって、既に行われた再送の回数が予め設定された最大再送回数よりも小さいか否かを前記第２の信号の復号化の結果が誤っている場合に判定し、前記既に行われた再送の回数が前記予め設定された最大数よりも小さい場合、前記中継局が前記第２の信号を再送するように、前記中継局に再送要求を送信する旨を前記応答フィードバック・モジュールに命令するよう前記判定モジュールが更に適合される基地局。
（付記１２）
移動局、及び前記移動局に対してトランスペアレントな中継局を備える無線通信システムであって、更に付記８乃至１１のうちの何れか一項に記載の基地局を更に備え、
前記移動局は、第１の信号をアップリンクで送信するよう適合された送信モジュールを備え、
前記中継局は、前記基地局から送信される再送要求及び前記移動局から送信される前記第１の信号を受信するよう適合された中継受信モジュールと、前記第１の信号を記憶するよう適合された記憶モジュールと、前記第１の信号に基づいて生成された第２の信号を、前記受信された再送要求に応じて、前記基地局に送信するよう適合された中継送信モジュールとを備える無線通信システム。
（付記１３）
付記１２記載の無線通信システムであって、前記第２の信号は前記第１の信号と同じである無線通信システム。
（付記１４）
付記１２記載の無線通信システムであって、前記中継局は、
前記基地局と前記中継局との間のチャネル状態に基づいて適応的に選択された符号化及び変調モード、及び所定の符号化及び変調モードの何れか１つを使用して前記第１の信号におけるデータを符号化し、変調するよう適合された符号化及び変調モジュールを更に備える無線通信システム。
（付記１５）
付記１２乃至１４の何れか一項に記載の無線通信システムであって、前記中継送信モジュールは、前記第２の信号を送信するために、前記第１の信号を送信するための時間及び周波数資源と同じ時間及び周波数資源、又は他の時間及び周波数資源を利用する無線通信システム。
【図１】
0005673559.tif 000002
【図２】
0005673559.tif 000003
【図３】
0005673559.tif 000004
【図４】
0005673559.tif 000005
【図５】
0005673559.tif 000006
【図６】
0005673559.tif 000007
【図７】
0005673559.tif 000008
【図８】
0005673559.tif 000009
【図９】
0005673559.tif 000010
【図１０】
0005673559.tif 000011